(57)【要約】【課題】定着の光の影響による画質の低下を抑えた画像形成装置および案内装置を提供する。【解決手段】画像形成装置Ｓにおいて、感光体２１上にトナー像を形成するトナー像形成装置２と、連続紙Ｐを搬送する搬送装置と、転写位置Ｔ２において感光体２１上のトナー像を連続紙上に転写する転写装置と、転写位置Ｔ２よりも連続紙Ｐの搬送方向下流側に配置され、連続紙上に転写されたトナー像に光を照射して定着する定着装置９Ａと、転写位置Ｔ２よりも連続紙の搬送方向上流側であって転写位置を眺め得る解放された空間を有する位置に配置され、連続紙に作用を及ぼす上流側装置７とを有し、上流側装置７が、転写位置を向いた側に、定着装置９Ａで発せられる光を遮蔽する遮蔽部材７７を備えた。【選択図】        図３
2013156365.tif 000002
【特許請求の範囲】
【請求項１】
帯電と露光を受けて静電潜像が形成される感光体を備え、該感光体上に、静電潜像を形成しトナーで現像してトナー像を形成するトナー像形成装置と、
連続紙を、前記感光体上のトナー像の転写を受ける転写位置を経由する搬送路に沿って搬送する搬送装置と、
前記転写位置において前記感光体上のトナー像を前記連続紙上に転写する転写装置と、
前記搬送路の、前記転写位置よりも前記連続紙の搬送方向下流側に配置され、該連続紙上に転写されたトナー像に光を照射して該トナー像を該光の熱で該連続紙上に定着する定着装置と、
前記搬送路の、前記転写位置よりも前記連続紙の搬送方向上流側であって該転写位置を眺め得る解放された空間を有する位置に配置され、該連続紙に作用を及ぼす上流側装置とを有し、
前記上流側装置が、前記転写位置を向いた側に、前記定着装置で発せられる光を遮蔽する遮蔽部材を備えたことを特徴とする画像形成装置。
【請求項２】
前記上流側装置は、前記搬送路上に搬送される連続紙に接して回転しながら該連続紙を案内する案内ロールを備えた案内装置であることを特徴とする請求項１記載の画像形成装置。
【請求項３】
前記遮光部材は、前記搬送路から離れた位置から該搬送路に向かって、前記案内ロールの回転中心軸と前記転写位置とを含む平面よりも該搬送路側にまで食み出して広がる形状を有し、少なくとも、該平面よりも該搬送路側に食み出した領域が遮光材料で形成されていることを特徴とする請求項２記載の画像形成装置。
【請求項４】
帯電と露光を受けて静電潜像が形成される感光体を備え、該感光体上に、静電潜像を形成しトナーで現像してトナー像を形成するトナー像形成装置と、連続紙を、前記感光体上のトナー像の転写を受ける転写位置を経由する搬送路に沿って搬送する搬送装置と、前記転写位置において前記感光体上のトナー像を前記連続紙上に転写する転写装置と、前記搬送路の、前記転写位置よりも前記連続紙の搬送方向下流側に配置され、該連続紙上に転写されたトナー像に光を照射して該トナー像とを該光の熱で該連続紙上に定着する定着装置とを有する画像形成装置の前記搬送路の、前記転写位置よりも前記連続紙の搬送方向上流側であって該転写位置を眺め得る解放された空間を有する位置に配置されて該搬送路上を搬送される連続紙を案内する案内装置であって、
前記連続紙に接して回転しながら該連続紙を案内する案内ロールと、
前記案内ロールの前記転写位置側に配置されて前記定着装置で発せられる光を遮蔽する遮蔽部材とを備えたことを特徴とする案内装置。
【発明の詳細な説明】
【技術分野】
【０００１】
本発明は、画像形成装置および案内装置に関する。
【背景技術】
【０００２】
特許文献１には、複写機において用紙上に画像を記録する記録装置が示されている。この記録装置は、まず露光装置によって感光体を露光して潜像を形成し、次に現像器によって潜像をトナーで現像してトナー像を形成し、次にトナー像を用紙に転写し、さらに定着することによって、用紙上に画像を形成する。
【先行技術文献】
【特許文献】
【０００３】
【特許文献１】特開平０１−２７３０９０号公報
【発明の概要】
【発明が解決しようとする課題】
【０００４】
用紙に転写されたトナー像を用紙に定着する場合に、トナー像に光を照射してトナー像を光の熱で定着することが考えられるが、その場合に、感光体が定着の光の影響を受けると感光体上のトナー像が、用紙への転写前の時点で影響を受けて、画質が低下するようなことが起こる。
【０００５】
本発明は、定着の光の影響による、感光体上の転写前のトナー像の画質の低下を抑えた画像形成装置および案内装置を提供することを目的とするものである。
【課題を解決するための手段】
【０００６】
請求項１に係る画像形成装置は、
帯電と露光を受けて静電潜像が形成される感光体を備え、この感光体上に、静電潜像を形成しトナーで現像してトナー像を形成するトナー像形成装置と、
連続紙を、上記感光体上のトナー像の転写を受ける転写位置を経由する搬送路に沿って搬送する搬送装置と、
上記転写位置において上記感光体上のトナー像を上記連続紙上に転写する転写装置と、
上記搬送路の、上記転写位置よりも上記連続紙の搬送方向下流側に配置され、この連続紙上に転写されたトナー像に光を照射してこのトナー像をこの光の熱でこの連続紙上に定着する定着装置と、
上記搬送路の、上記転写位置よりも上記連続紙の搬送方向上流側であってこの転写位置を眺め得る解放された空間を有する位置に配置され、この連続紙に作用を及ぼす上流側装置とを有し、
上記上流側装置が、上記転写位置を向いた側に、上記定着装置で発せられる光を遮蔽する遮蔽部材を備えたことを特徴とする。
【０００７】
請求項２に係る画像形成装置は、上記上流側装置が、上記搬送路上に搬送される連続紙に接して回転しながらこの連続紙を案内する案内ロールを備えた案内装置であることを特徴とする。
【０００８】
請求項３に係る画像形成装置は、上記遮光部材が、上記搬送路から離れた位置からこの搬送路に向かって、上記案内ロールの回転中心軸と上記転写位置とを含む平面よりもこの搬送路側にまで食み出して広がる形状を有し、少なくとも、この平面よりもこの搬送路側に食み出した領域が遮光材料で形成されていることを特徴とする。
【０００９】
請求項４に係る案内装置は、
帯電と露光を受けて静電潜像が形成される感光体を備え、この感光体上に、静電潜像を形成しトナーで現像してトナー像を形成するトナー像形成装置と、連続紙を、上記感光体上のトナー像の転写を受ける転写位置を経由する搬送路に沿って搬送する搬送装置と、上記転写位置において上記感光体上のトナー像を上記連続紙上に転写する転写装置と、上記搬送路の、上記転写位置よりも上記連続紙の搬送方向下流側に配置され、この連続紙上に転写されたトナー像に光を照射してこのトナー像とをこの光の熱でこの連続紙上に定着する定着装置とを有する画像形成装置の上記搬送路の、上記転写位置よりも上記連続紙の搬送方向上流側であってこの転写位置を眺め得る解放された空間を有する位置に配置されてこの搬送路上を搬送される連続紙を案内する案内装置であって、
上記連続紙に接して回転しながらこの連続紙を案内する案内ロールと、
上記案内ロールの上記転写位置側に配置されて上記定着装置で発せられる光を遮蔽する遮蔽部材とを備えたことを特徴とする。
【発明の効果】
【００１０】
請求項１に係る画像形成装置は、上流側装置が遮蔽部材を有していない場合と比較して、定着の光の影響による画質の低下が抑えられる。
【００１１】
請求項２に係る画像形成装置は、本構成を有しない場合と比較して、定着の光の侵入がさらに抑えられる。
【００１２】
請求項３に係る画像形成装置は、遮光部材が、案内ロールの回転中心軸と転写位置とを含む平面に達していない場合に比べて、定着の光の影響が抑えられる。
【００１３】
請求項４に係る案内装置は、遮蔽部材を有していない場合と比較して、感光体に与える定着の光の影響を抑えることができる。
【図面の簡単な説明】
【００１４】
【図１】本発明の画像形成装置の一実施形態である画像形成装置の概略構成図である。
【図２】図１に示す画像形成装置の、第２のトナー像形成装置および第１定着装置の部分を拡大して示した図である。
【図３】図２に示す第２案内装置の外観を示す斜視図である。
【図４】図３に示す第２案内装置の断面を示す断面図である。
【図５】遮光部材７７を示す平面図である。
【図６】表面電位の測定結果を示すグラフである。
【図７】変形例における遮光部材を示す平面図である。
【発明を実施するための形態】
【００１５】
以下図面を参照して本発明の実施の形態を説明する。
【００１６】
図１は、本発明の画像形成装置の一実施形態である画像形成装置の概略構成図である。
【００１７】
図１に示す画像形成装置Ｓは、搬送路Ｒよりも長い長尺の連続紙Ｐを、この連続紙Ｐの長手方向に搬送し、連続紙Ｐの上に画像を形成する電子写真方式のプリンタである。本実施形態の画像形成装置Ｓは、１台の装置内で、連続紙Ｐの表裏両面に画像を形成する。画像形成装置Ｓは、第１のトナー像形成装置１、第２のトナー像形成装置２、第１転写装置３、第２転写装置４、用紙搬送装置５、第１案内装置６、第２案内装置７、第３案内装置８、第１定着装置９Ａ、第２定着装置９Ｂ、用紙収容装置ＩＮ、および、用紙積載装置ＯＵＴを備えている。また、画像形成装置Ｓには、制御部Ｃ、信号入出力部ＩＦ、および電源部Ｅも備えられている。
【００１８】
第１のトナー像形成装置１は、搬送路Ｒにおける連続紙Ｐの裏面側の位置に配置されており、連続紙Ｐの裏面に形成される画像のトナー像を形成する。また、第２のトナー像形成装置２は、連続紙Ｐの表面側の位置に配置されており、連続紙Ｐの表の面に形成される画像のトナー像を形成する。第１のトナー像形成装置１および第２のトナー像形成装置２は互いに同様の構成を有しており、また第１転写装置３および第２転写装置４は互いに同様の構成を有しているので、第１のトナー像形成装置１および第１転写装置３に代表させて説明をする。
【００１９】
第１のトナー像形成装置１は、感光体ドラム１１、帯電装置１２、露光装置１３、現像装置１４、および清掃装置１５を備えている。感光体ドラム１１は、円筒状の周面を有しており、円筒の軸周りである矢印Ａ１方向に回転する。感光体ドラム１１は、図示しない円筒状の基板周面上に、下引き層、電荷発生層、および電荷輸送層が順に積層された構成を有する。感光体ドラム１１は、周面が帯電した状態で光が照射されると、光が照射された部分の帯電量が減少することで静電潜像が形成される。
【００２０】
帯電装置１２、露光装置１３、および現像装置２４は、感光体ドラム１１の周囲に、回転方向Ａ１の順に配置されている。帯電装置１２は、感光体ドラム１１の周面を帯電させる。帯電装置１２は、コロナ放電を利用して感光体ドラム１１を非接触で帯電する。ただし帯電装置としては、例えば感光体ドラム１１に接触して帯電を行う帯電ロールも採用され得る。露光装置１３は、画像形成装置Ｓ外部から信号入出力部ＩＦを介して供給された画像信号に基づく露光光を感光体ドラム１１に照射する。帯電した感光体ドラム１１の周面に光が照射されることで、静電潜像が形成される。露光装置１３は、複数の発光ダイオード（ＬＥＤ）が、感光体ドラム１１周面の移動方向と交わる幅方向に並んで配置されたＬＥＤアレイによって構成されている。ただし、露光装置としては、例えばレーザ発光器から発光されたレーザ光を回転多面鏡で反射させて感光体ドラム１１の幅方向に走査する構成も採用され得る。現像装置１４は、感光体ドラム１１の周面の静電潜像をトナーで現像することで、感光体ドラム１１の周面にトナー像を形成する。現像装置１４は、トナーと磁性キャリアとが混合された二成分現像剤が収容されている。現像装置１４は、現像剤を撹拌することで、トナーを帯電させ、帯電したトナーで感光体ドラム１１の周面の静電潜像を現像する。トナーが付着することで、感光体ドラム１１の周面に静電潜像が形成される。清掃装置１５は、後述する第１転写装置３によりトナーが連続紙Ｐに転写された後、感光体ドラム１１周面に残留するトナー等の不要物を除去することで、感光体ドラム１１を清掃する。
【００２１】
第１転写装置３は、感光体ドラム１１上のトナー像を連続紙Ｐの裏面に転写する。第１転写装置３は、連続紙Ｐを挟んで感光体ドラム１１の反対側に配置されている。第１転写装置３は、より詳細には、感光体ドラム１１の周面の、回転方向Ａ１における現像装置２４よりも下流の位置に対向している。連続紙Ｐは、第１転写装置３と感光体ドラム１１との間の転写位置Ｔ１で、感光体ドラム１１に接触している。第１転写装置３は、コロナ放電を利用して連続紙Ｐに非接触で帯電を行う装置である。ただし転写装置としては、例えば連続紙Ｐに接触しながら回転する、電圧が印加された転写ロールも採用され得る。第１転写装置３によって、連続紙Ｐと感光体ドラム１１との間に生じた電界により、トナーが連続紙Ｐに付着し、感光体ドラム１１上のトナー像が連続紙Ｐの裏面に転写される。表面に対応して設けられた第２転写装置４は、第１転写装置３と同様の構成を有しており、感光体ドラム２１上のトナー像を連続紙Ｐの表面に転写する。
【００２２】
用紙搬送装置５は、用紙収容装置ＩＮに収容された連続紙Ｐを、搬送路Ｒに沿って矢印Ｄで示す搬送方向に搬送する。用紙搬送装置５は、連続紙Ｐに設けられた送り穴に係合して連続紙Ｐを搬送するベルト状のピンフィードトラクタ５１、連続紙Ｐに張力を付与するためのバックテンションロール５２、および、連続紙Ｐを搬送する円筒状の搬送ロール５４〜５８を備えている。本実施形態の画像形成装置Ｓでは、第１のトナー像形成装置１よりも上に第２のトナー像形成装置２が配置されており、また、第２のトナー像形成装置２よりも上に第２定着装置９Ｂが配置されている。これに対応して、搬送路Ｒは、ピンフィードトラクタ５２を経た後、ほぼ鉛直方向に延びている。連続紙Ｐは、下から上に向かって搬送される間、第１のトナー像形成装置１の感光体ドラム１１と第１転写装置３との間の転写位置Ｔ１を通過し、第２のトナー像形成装置２の感光体ドラム２１と第２転写装置４との間の転写位置Ｔ２を通過し、さらに、第１定着装置９Ａを通過する。搬送路Ｒは、第２定着装置９Ｂを経た後、用紙積載装置ＯＵＴに至る。
【００２３】
第１案内装置６は、第１のトナー像形成装置１の感光体ドラム１１と第１転写装置３との間にある転写位置Ｔ１よりも搬送方向Ｄ上流側に配置されている。第１案内装置６は、連続紙Ｐに作用を及ぼす装置であり、より詳細には、連続紙Ｐを感光体ドラム１１寄りに案内して、感光体ドラム１１に接触させる面積を増加させる装置である。また、第２案内装置７は、第２のトナー像形成装置２の感光体ドラム２１と第２転写装置３との間にある転写位置Ｔ２よりも搬送方向Ｄ上流側に配置されている。第２案内装置７は、第１案内装置６と同様に連続紙Ｐを感光体ドラム２１寄りに案内して、感光体ドラム２１に接触させる面積を増加させる。また、第３案内装置８は、転写位置Ｔ２と第１定着装置９Ａとの間に配置されており、連続紙Ｐを定着装置９Ａに向けて案内する。
【００２４】
第１定着装置９Ａおよび第２定着装置９Ｂは、連続紙Ｐ上に転写されたトナー像を連続紙Ｐ上に定着する装置である。第１定着装置９Ａは、感光体ドラム１１と第１転写装置３との間の転写位置、および感光体ドラム２１と第２転写装置４との間の転写位置よりも搬送方向Ｄ下流側に配置されている。第１定着装置９Ａは、第２転写装置４の上方に配置されている。第２定着装置９Ｂは、第１定着装置９Ａよりもさらに搬送方向Ｄ下流側に配置されている。第１定着装置９Ａは、連続紙Ｐの裏面に対向しており、連続紙Ｐの裏面のトナー像を定着する。第２定着装置９Ｂは、連続紙Ｐの表面に対向しており、連続紙Ｐの表面のトナー像を定着する。第１定着装置９Ａおよび第２定着装置９Ｂには、連続紙Ｐに閃光（フラッシュ光）を発するフラッシュランプ８１Ａ，９１Ｂが、連続紙Ｐと対向する位置に備えられている。第１定着装置９Ａおよび第２定着装置９Ｂは、トナー像が形成された連続紙Ｐに周期的にフラッシュ光を照射し、そのフラッシュ光の熱によってトナーを溶融させることにより連続紙Ｐ上のトナー像を連続紙Ｐに定着させる。
【００２５】
用紙積載装置ＯＵＴは、画像が形成された用紙を積載収容する。用紙積載装置ＯＵＴには、上端部を支点として矢印Ｆ方向に揺れ動くスイングガイドＳＧが備えられている。スイングガイド９１Ｂを通って排出される連続紙Ｐは、スイングガイド９１Ｂに案内されて、ページの境界にあるミシン目で交互に折り畳まれながら用紙積載装置ＯＵＴ内に積載収容される。
【００２６】
上述した構成の画像形成装置Ｓでは、用紙収容装置ＩＮに収容された連続紙Ｐが、用紙搬送装置５のピンフィードトラクタ５１によって引き出され、搬送路Ｒに沿って搬送される。連続紙Ｐは、搬送路Ｒに沿って上向きに搬送される間に、第１のトナー像形成装置１の感光体ドラム１１と第１転写装置３との間の転写位置を通過し、その後、第２のトナー像形成装置２の感光体ドラム２１と第２転写装置４との間の転写位置を通過する。
【００２７】
この一方、第１のトナー像形成装置１では、感光体ドラム１１の周面が帯電装置１２によって帯電され、露光装置１３によって光が照射されて静電潜像が形成され、現像装置１４によって静電潜像が現像されトナー像が形成される。連続紙Ｐは、裏面が感光体ドラム１１と接し、第１転写装置３によって、感光体ドラム１１上からトナー像が転写される。第２のトナー像形成装置２でも、帯電装置２２、露光装置２３、および現像装置２４によって感光体ドラム２１の周面にトナー像が形成される。連続紙Ｐは、表面が感光体ドラム２１と接し、第２転写装置４によって、感光体ドラム２１上からトナー像が転写される。
【００２８】
表裏両面にトナー像が転写された連続紙Ｐは、まず第１定着装置９Ａによって裏面のトナー像が定着され、次に第２定着装置９Ｂによって表面のトナー像が定着される。表裏両面でトナー像が定着された連続紙Ｐは、用紙積載装置ＯＵＴ内に積載収容される。
【００２９】
図２は、図１に示す画像形成装置Ｓの、第２のトナー像形成装置２および第１定着装置９Ａの部分を拡大して示した図である。
【００３０】
図２には、第２案内装置７、第２転写装置４、第３案内装置８、第１定着装置９Ａ、および搬送ロール５４が、連続紙Ｐが搬送される搬送路Ｒに沿って搬送方向Ｄの順に配置された状態が示されている。また、図２には、連続紙Ｐを挟んで第２転写装置４の反対側に配置された感光体ドラム２１の周囲に配置された、清掃装置１５、帯電装置１２、および現像装置１４も示されている。
【００３１】
ここで、第２のトナー像形成装置２が本発明にいうトナー像形成装置の一例に相当し、第２転写装置４が本発明にいう転写装置の一例に相当する。また、第２案内装置７が本発明にいう上流側装置の一例に相当し、本発明にいう案内装置の一例にも相当する。
【００３２】
第２転写装置４は、用紙詰まりの際の用紙の除去や部品交換のため、感光体ドラム２１から離れる向きに離脱自在に設置されたユニットである。第２転写装置４には、感光体ドラム２１に対向したコロナ放電器４１が備えられている。感光体ドラム２１のコロナ放電器４１と対向した転写位置Ｔ２には、連続紙Ｐが接触している。
【００３３】
第２案内装置７は、転写位置Ｔ２よりも搬送方向Ｄ上流側であって、転写位置Ｔ２を眺め得る解放された空間を有する位置に配置されている。より詳細には、第２案内装置７は転写位置Ｔ２の直下、すなわち、転写位置Ｔ２に対し搬送方向Ｄにおける上流の直近の位置に配置されており、第２案内装置７と転写位置Ｔ２との間には、連続紙Ｐ以外の物は配置されていない。第２案内装置７は、連続紙Ｐを案内する案内ロール７１を備えている。案内ロール７１は、感光体ドラム２１の、第２転写装置４と対向する位置における接平面よりも感光体ドラム２１の側に突出した位置に配置されている。したがって、連続紙Ｐの搬送路Ｒは感光体ドラム２１寄りに曲がっており、案内ロールが存在しない場合と比べて連続紙Ｐと感光体ドラム２１との接触面積が増大している。第２案内装置７の案内ロール７１は、第１のトナー像形成装置１でトナー像が転写された連続紙Ｐの裏面に接触する。案内ロール７１は、連続紙Ｐの全幅に亘って接触している。案内ロール７１は、連続紙Ｐの裏面にすでに転写されたトナー像との擦れが生じないよう、連続紙Ｐの搬送速度に合わせた周面速度で回転駆動されている。案内ロール７１には連続紙Ｐのトナーの付着を抑える材料が用いられており、また、付着量を低下させる電位が付与されている。第２案内装置７には、案内ロール７１に付着してしまったトナーを除去するためのブラシ型清掃器７２、およびブレード型清掃器７３も備えられている。
【００３４】
第３案内装置８は、連続紙Ｐを案内する案内ロール８１を備えている。第３案内装置８の案内ロール８１は、第２のトナー像形成装置２でトナー像が転写された連続紙Ｐの表面に接触している。第３案内装置８は、連続紙Ｐが第１定着装置９Ａに近づくよう、連続紙Ｐの経路を曲げている。第３案内装置８は、第２案内装置７と同様の構成を有しており、案内ロール８１に付着したトナーを除去するためのブラシ型清掃器８２、およびブレード型清掃器８３も備えている。
【００３５】
また、連続紙Ｐの搬送路Ｒを挟んで第３案内装置８の反対側には、用紙収容装置ＩＮに新たな連続紙Ｐが収容された場合に、連続紙Ｐの先端部分を搬送するための搬送器５９が配置されている。搬送器５９には、連続紙Ｐを案内ロール８１との間に挟み付ける搬送ロール５９１が設けられている。なお、搬送ロール５９１は、連続紙Ｐに画像が形成される際には、搬送路Ｒから退避する。
【００３６】
第１定着装置９Ａは、搬送路Ｒの、第２のトナー像形成装置２の転写位置Ｔ２よりも連続紙Ｐの搬送方向Ｄ下流側に配置されている。第２のトナー像形成装置２と第１定着装置９Ａとの間には、第３案内装置８および搬送器５９の他に、遮光部材Ｌが配置されている。遮光部材Ｌには、連続紙Ｐを通過させる長穴Ｈが設けられており、連続紙Ｐは、遮光部材Ｌの長穴Ｈを抜けて第１定着装置９Ａに搬送される。遮光部材Ｌによって、第１定着装置９Ａからの光の一部が遮られるため、第１定着装置９Ａから感光体ドラム２１に到達する光の光量が低減される。また、第１定着装置９Ａから感光体ドラム２１に到達する光の光量は、連続紙Ｐの経路が第３案内装置８によって曲げられることでも低減されている。
【００３７】
ただし、遮光部材Ｌの長穴Ｈは、定着処理前の連続紙Ｐとの接触を避ける程度の大きさを有しており、第１定着装置９Ａからの光の一部は、長穴Ｈを通過する。また、光の一部は、連続紙Ｐ自体の内部も通過し得る。また、第１定着装置９Ａからの光の一部は、遮光部材Ｌの周囲の隙間等を介して拡がる。このようにして、第１定着装置９Ａで発光された光の一部は、遮光部材Ｌ、第３案内装置８、および搬送器５９よりも搬送方向Ｄ上流側の感光体ドラム２１が配置された第２のトナー像形成装置２まで到達する。
【００３８】
感光体ドラム２１の周面のうち、搬送方向Ｄ下流側すなわち第１定着装置９Ａを向いた部分は、転写位置Ｔ２を通過してから帯電装置２２によって帯電されるまでの部分である。このため、転写位置Ｔ２から帯電される位置までの領域に露光装置２３以外の光が照射されても、トナー像への影響は相対的に小さい。
【００３９】
これに対し、感光体ドラム２１の周面のうち、転写位置Ｔ２よりも、周面の移動方向（矢印Ａ２）上流側の領域に、露光装置２３以外の光が照射される場合、感光体ドラム２１周面の電位を変動させるためトナー像への影響が相対的に大きい。例えば、仮に、第１定着装置９Ａからの光が、第２案内装置７の案内ロール７１で反射して感光体ドラム２１周面のトナー像を保持した部分を照らされると、照らされた部分の電位が低下する。トナー像のトナーは、感光体ドラム２１周面の電位によって保持されているため、照らされた部分の像がぼやける。本実施形態における第１定着装置９Ａは、フラッシュ光を周期的に発光するため、フラッシュ光の影響が感光体ドラム２１上に、周期的に発生しトナー像に縞状に現れることとなる。
【００４０】
本実施形態の第２案内装置７には、光が案内ロール７１で反射され、感光体ドラム２１に照射されるのを遮る部材が設けられている。
【００４１】
図３は、図２に示す第２案内装置の外観を示す斜視図である。また、図４は、図３に示す第２案内装置の断面を示す断面図である。
【００４２】
第２案内装置７は、上述した案内ロール７１、ブラシ型清掃器７２、およびブレード型清掃器７３に加えて、ブラシ清掃片７４、トナー搬送部材７５、筐体７６、および遮光部材７７を備えている。
【００４３】
案内ロール７１は、連続紙Ｐの幅全体に亘って延びた円柱状の部材であり、連続紙Ｐの裏面に接触して連続紙Ｐを案内する。案内ロール７１は連続紙Ｐの搬送速度に合わせて矢印Ｇ方向に回転駆動されている。案内ロール７１は、連続紙Ｐの裏面に転写されたトナーの付着を抑えるよう、周面が、白いフッ素樹脂系の樹脂材料で形成されている。また、案内ロール７１には、トナーの付着を抑える電位も付与されている。先に説明したように、案内ロール７１は、感光体ドラム２１の、第２転写装置４と対向する位置における接平面よりも感光体ドラム２１の側に突出した位置に配置されており、連続紙Ｐの搬送路Ｒを曲げている。これによって、連続紙Ｐの搬送方向Ｄ（図２参照）における、第２案内装置７よりも上流から回り込む光の、感光体２１への照射が抑えられる。
【００４４】
ブラシ型清掃器７２は、案内ロール７１に接触することで、案内ロール７１に付着したトナーや不要物を除去する。ブラシ清掃片７４は、ブラシ型清掃器７２に接触することで、ブラシ型清掃器７２に付着したトナー等の不要物を掻き落とす。また、ブレード型清掃器７３は、先端に設けられたブレードを案内ロール７１に当てることで、案内ロール７１に付着した不要物を掻き落とす。ブレード型清掃器７３は、案内ロール７１に接触する姿勢と、案内ロール７１から離れる姿勢との間で回転自在に設けられている。トナー搬送部材７５は、螺旋形の羽根が設けられた部材であり、回転することで、掻き落とされた不要物を第２案内装置７の外部に排出する。筐体７６は、案内ロール７１、ブラシ型清掃器７２、ブレード型清掃器７３、ブラシ清掃片７４、およびトナー搬送部材７５を保持した容器である。また、筐体７６には、案内ロール７１から除去された不要物が外部に漏れだすのを防ぐため、案内ロール７１と筐体７６との間の隙間を塞ぐ塞ぎ部材７８も設けられている。
【００４５】
遮光部材７７は、第２案内装置７の転写位置Ｔ２を向いた側、すなわち案内ロール７１よりも連続紙Ｐの搬送方向Ｄ下流側に配置された部材である。遮光部材７７は、筐体７６に固定されており、案内ロール７１の上を、搬送路Ｒから離れた位置から搬送路Ｒに向かって張り出している。より詳細には、遮光部材７７は、案内ロール７１の回転中心軸７１ａと転写位置Ｔ２とを含む平面Ｊよりも搬送路Ｒ側にまで食み出して広がる形状を有している。遮光部材７７は、連続紙Ｐとの接触を避けた位置まで広がっている。
【００４６】
図５は、遮光部材７７を示す平面図である。図５には、遮光部材７７の、搬送路Ｒに向いた縁を図の下に向けた状態が示されている。
【００４７】
図３〜図５に示す遮光部材７７は、板状の部材である。より詳細には、遮光部材７７は、樹脂製の基材の表面に、遮光フィルムが貼り付けられた構造を有する。遮光フィルムは、第１定着装置９Ａが発光する光の波長において、感光体ドラム２１でのトナー像への影響が視認されない程度の光の遮光特性を有する。例えば、遮光フィルムの光透過率は、定着装置９Ａが発光する光の主波長である８００ｎｍで約０．５％以下である。また遮光フィルムは、案内ロール７１の周面の材料に比べて反射率が低い材料で形成されている。遮光フィルムは黒色の樹脂材料からなる。したがって、他の色の場合に比べて、遮光部材７７自体による反射も低減している。
【００４８】
図３および図４に示す第２案内装置７は、第２案内装置７の転写位置Ｔ２を向いた側に遮光部材７７が配置されている。遮光部材７７は、第１定着装置９Ａで発せられる光を遮蔽する。このため、仮に遮光部材が配置されていない場合に比べて、２案内装置７に到達した光が案内ロール７１に反射して、感光体ドラム２１を照らす光量が低減する。したがって、第１定着装置９Ａの光に起因する感光体ドラム２１の電位の低下が抑えられ、トナー像のぼけ等の画質の劣化が抑えられる。
【００４９】
また、遮光部材７７は、案内ロール７１の回転中心軸７１ａと転写位置Ｔ２とを含む平面Ｊよりも搬送路Ｒ側にまで食み出して広がる形状を有している。したがって、例えば平面Ｊよりも手前のみに広がる形状の場合に比べて、案内ロール７１の、転写位置Ｔ２を向いた部分による光の反射が抑えられ、トナー像の劣化への影響が抑えられる。
【００５０】
［測定例］
ここで、上述した構成において、第１定着装置を発光させた場合の感光体ドラムの周面の表面電位を測定した。この測定では、帯電装置２２によって感光体ドラム２１の周面を帯電し、露光装置２３による露光は停止した状態で、第１定着装置を発光させた場合の感光体ドラムの周面、特に、転写位置Ｔ２付近の表面電位を測定した。また、比較例として、第２案内装置７から遮光部材７７を取り外した構成でも表面電位を測定した。
【００５１】
図６は、表面電位の測定結果を示すグラフである。
【００５２】
表面電位の測定は、図６のＤＥＴに示す位置に電位計を設置して回転する感光体ドラムの周面電位を時間の経過とともに測定し、感光体ドラムの回転速度から、光の発光時点における、周面各位置の電位を求めてグラフ化した。
【００５３】
グラフの電位Ｖａは、遮光部材７７を有する場合における感光体ドラムの周面の電位を表し、グラフの電位Ｖｃは、遮光部材７７を取り外した比較例における電位を表す。いずれの場合にも、転写位置Ｔ２付近における感光体ドラムの周面の電位の低下がみられた。しかし、遮光部材７７を有する本実施形態の構成の場合は、比較例に比べて、電位Ｖａの低下が抑えられた。そして、遮光部材７７を有する場合の電位Ｖａの低下は、連続紙Ｐに形成された画像において劣化が視認できない程度であった。
【００５４】
［変形例］
次に、本実施形態の変形例について説明する。本実施形態の変形例では、第２案内装置７に設けられた遮光部材が、上記実施形態と異なり、その他の点は上記実施形態と同じである。
【００５５】
図７は、変形例における遮光部材を示す平面図である。図７には、図５と同様に、搬送路に向いた縁を図の下に向けた状態の遮光部材が示されている。
【００５６】
図７の遮光部材２７７は、搬送路に向いた縁部分２７７ａ、すなわち、第２案内装置７（図４参照）に組み込まれた状態で、案内ロール７１の上、つまり案内ロール７１と転写位置Ｔ２との間にある部分に、遮光フィルムが貼り付けられている。
【００５７】
図７に示す変形例の遮光部材２７７によっても、第１定着装置９Ａが発光する光のうち、第２案内装置７に到達した光が案内ロール７１に反射し連続紙Ｐを通して、感光体ドラム２１の転写位置Ｔ２に達する前の部分を照らす光量が低減する。したがって、感光体ドラム２１の電位の低下が抑えられ、トナー像のぼけといった劣化が抑えられる。
【００５８】
なお、上述した実施形態では、本発明にいう遮光部材の例として、樹脂製の基材の表面に、遮光フィルムが貼り付けられた構造を有する遮光部材７７が示されている。ただし、本発明はこれに限られるものではなく、例えば、遮光部材は金属製であってもよい。
【００５９】
また、上述した実施形態では、本発明にいう上流側装置の例として、第２案内装置７が示されている。ただし、本発明はこれに限られるものではなく、例えば、上流側装置は、連続紙を転写まえに帯電する予備帯電装置であってもよく、また、第１のトナー像形成装置１の各部であってもよい。
【００６０】
また、上述した実施形態における定着装置はフラッシュ光を発する装置である。ただし、本発明はこれに限られるものではなく、定着装置は、例えば連続発光するものであってもよい。
【００６１】
また、上述した実施形態では、本発明にいう像保持体の例としてロール状の感光体が示されている。しかし、本発明にいう像保持体はこれに限られず、例えばベルト状の部材であってもよい。
【００６２】
また、上述した実施形態では、画像形成装置の例として１台の装置内で、連続紙Ｐの表裏両面に画像を形成する装置が示されている。しかし、本発明にいう画像形成装置はこれに限られず、例えば、１台の装置内で片面に画像を形成するものであってもよい。
【００６３】
また、上述した実施形態では、画像形成装置の例としてモノクロプリンタが示されている。しかし、本発明にいう画像形成装置はこれに限られず、例えば、カラー画像を形成するカラープリンタであってもよい。
【００６４】
また、上述した実施形態では、画像形成装置の例としてプリンタが示されている。しかし、本発明にいう画像形成装置はプリンタに限られず、例えば、複写機やファクシミリであってもよい。
【符号の説明】
【００６５】
Ｓ    画像形成装置
１    第１のトナー像形成装置
２    第２のトナー像形成装置
３    第１転写装置
４    第２転写装置
５    用紙搬送装置
６    第１案内装置
７    第２案内装置
８    第３案内装置
９Ａ    第１定着装置
９Ｂ    第２定着装置
１１，２１    感光体ドラム
７１    案内ロール
７１ａ    回転中心軸
７７，２７７    遮光部材
Ｐ    連続紙
Ｒ    搬送路
【図１】
2013156365.tif 000003
【図２】
2013156365.tif 000004
【図３】
2013156365.tif 000005
【図４】
2013156365.tif 000006
【図５】
2013156365.tif 000007
【図６】
2013156365.tif 000008
【図７】
2013156365.tif 000009